(57)【要約】【課題】簡単な構成のクリック係止機構を有したロータリー式のスイッチを備えた電気機器を提供することを目的とする。【解決手段】スイッチ１７は回動式であり、スイッチ１７から第２の開口３４に向かって回動軸方向へ延びた棒形状のスイッチシャフト２４を有している。つまみ部１８は、スイッチシャフト２４が嵌る筒形状の筒部分３７を備えている。バネ３８は、スイッチ１７の回動軸方向へ撓むと共に波状に凹凸し、スイッチケース３０は、スイッチケース３０からバネ３８に向かって突出した突起部３９を備えている。つまみ部１８は、本体ケース３内から上面開口１４へ挿入され、本体ケース３とスイッチケース３０との間に抜け防止部４０を設け、抜け防止部４０が本体ケース３の側面開口１６の開口縁と接触し、突起部３９にバネ３８が撓みながら接触する。【選択図】図６
2017174524.tif 000002
【特許請求の範囲】
【請求項１】
第１の開口を有した本体ケースと、
前記本体ケース内に設け第２の開口を備えたスイッチケースと、
前記スイッチケース内に固定された基板部と、
前記基板部に前記第２の開口に対向するように装着されたスイッチと、
前記スイッチから前記第２の開口に向かって回動軸方向へ延びた棒形状のスイッチシャフトを有し、
前記スイッチシャフトに着脱可能なつまみ部と、
前記つまみ部内と前記スイッチケースとの間に設けたバネとを備え、
前記スイッチは回動式であり、
前記つまみ部は、前記スイッチシャフトが嵌る筒形状の筒部分を備え、
前記バネは、前記スイッチの前記回動軸方向へ撓むと共に波状に凹凸し、
前記スイッチケースは、前記スイッチケースから前記バネに向かって突出した突起部を備え、
前記つまみ部は、
前記本体ケース内から前記第１の開口へ挿入され、
前記本体ケースと前記スイッチケースとの間に抜け防止部を設け、
前記抜け防止部が前記本体ケースの前記第１の開口の開口縁と接触し、
前記突起部に前記バネが撓みながら接触することを特徴とする電気機器。
【請求項２】
前記バネは、
円環形状で前記回動軸上に中心が配置され、
前記突起部は、
第１の突起部と第２の突起部とを有し、
前記第１の突起部と前記第２の突起部との間に前記回動軸を備えたことを特徴とする請求項１に記載の電気機器。
【請求項３】
前記バネは、複数の凹部と凸部とを有し、
複数の前記凹部と前記凸部とは、
前記回動軸上に中心を有する円周上に配置され、
前記凹部と前記凹部との間に前記回動軸を備え、
前記凸部と前記凸部との間に前記回動軸を備えたことを特徴とする請求項１または２に記載の電気機器。
【発明の詳細な説明】
【技術分野】
【０００１】
本発明は、ロータリー式のスイッチを備えた電気機器に関するものである。
【背景技術】
【０００２】
従来この種のロータリー式のスイッチのクリック係止機構として、ボールと溝の嵌合によるものが広く用いられている。この係止機構は、固定部材に断面Ｖ字形のＶ溝を形成し、可動部材に形成された穴内にスプリングを弾圧した状態でボールが配設されている。そして、可動部材を移動させることにより、ボールがＶ溝と対向する位置へ持ち来されると、スプリングの弾力によってＶ溝へ嵌入して両方の部材を係止せしめ、固定部材に対する可動部材の位置決めが行われるようになっているものが知られていた（例えば特許文献１参照）。
【先行技術文献】
【特許文献】
【０００３】
【特許文献１】実公平７−５５３６４号公報
【発明の概要】
【発明が解決しようとする課題】
【０００４】
このような従来のロータリー式のスイッチのクリック係止機構においては、ボールとスプリングとが必要となり、部品点数が増える原因となっていた。
【０００５】
そこで本発明は、簡単な構成のクリック係止機構を有したロータリー式のスイッチを備えた電気機器を提供することを目的とする。
【課題を解決するための手段】
【０００６】
上述の目的を達成するために、本発明は、第１の開口を有した本体ケースと、前記本体ケース内に設け第２の開口を備えたスイッチケースと、前記スイッチケース内に固定された基板部と、前記基板部に前記第２の開口に対向するように装着されたスイッチと、前記スイッチから前記第２の開口に向かって回動軸方向へ延びた棒形状のスイッチシャフトを有し、前記スイッチシャフトに着脱可能なつまみ部と、前記つまみ部内と前記スイッチケースとの間に設けたバネとを備え、前記スイッチは回動式であり、前記つまみ部は、前記スイッチシャフトが嵌る筒形状の筒部分を備え、前記バネは、前記スイッチの前記回動軸方向へ撓むと共に波状に凹凸し、前記スイッチケースは、前記スイッチケースから前記バネに向かって突出した突起部を備え、前記つまみ部は、前記本体ケース内から前記第１の開口へ挿入され、前記本体ケースと前記スイッチケースとの間に抜け防止部を設け、前記抜け防止部が前記本体ケースの前記第１の開口の開口縁と接触し、前記突起部に前記バネが撓みながら接触することを特徴とし、これにより所期の目的を達成するものである。
【発明の効果】
【０００７】
本発明に係る送風装置によれば、第１の開口を有した本体ケースと、前記本体ケース内に設け第２の開口を備えたスイッチケースと、前記スイッチケース内に固定された基板部と、前記基板部に前記第２の開口に対向するように装着されたスイッチと、前記スイッチから前記第２の開口に向かって回動軸方向へ延びた棒形状のスイッチシャフトを有し、前記スイッチシャフトに着脱可能なつまみ部と、前記つまみ部内と前記スイッチケースとの間に設けたバネとを備え、前記スイッチは回動式であり、前記つまみ部は、前記スイッチシャフトが嵌る筒形状の筒部分を備え、前記バネは、前記スイッチの前記回動軸方向へ撓むと共に波状に凹凸し、前記スイッチケースは、前記スイッチケースから前記バネに向かって突出した突起部を備え、前記つまみ部は、前記本体ケース内から前記第１の開口へ挿入され、前記本体ケースと前記スイッチケースとの間に抜け防止部を設け、前記抜け防止部が前記本体ケースの前記第１の開口の開口縁と接触し、前記突起部に前記バネが撓みながら接触することを特徴とするものである。
【０００８】
このように、バネは、スイッチの回動軸方向へ撓むと共に波状に凹凸し、スイッチケースは、スイッチケースからバネに向かって突出した突起部を備え、つまみ部は、本体ケース内から第１の開口へ挿入され、本体ケースとスイッチケースとの間に抜け防止部を設け、抜け防止部が本体ケースの第１の開口の開口縁と接触することにより突起部にバネが撓みながら接触するので、簡単な構成のクリック係止機構を有したロータリー式のスイッチを備えた電気機器を提供できる。
【図面の簡単な説明】
【０００９】
【図１】本発明の実施の形態１に係る送風機と支持台の外観図
【図２】同支持台の外観図
【図３】同支持台の断面図
【図４】同支持台の分解図
【図５】同支持台の断面図
【図６】同支持台の断面斜視図
【図７】同支持台の断面斜視展開図
【図８】同支持台のスイッチ周りの展開斜視図
【発明を実施するための形態】
【００１０】
（実施の形態１）
以下、添付図面を参照して、本発明の実施の形態につき説明し、本発明の理解に供する。
【００１１】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１２】
以下、本発明の実施の形態１に係る支持台について説明する。
【００１３】
図１は、本発明の実施の形態１に係る送風機と支持台の外観図である。図２は、本発明の実施の形態１に係る支持台の外観図である。
【００１４】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１５】
図３は、本発明の実施の形態１に係る支持台の断面図である。図４は、本発明の実施の形態１に係る支持台の分解図である。
【００１６】
図３、４に示すように、回動体４は、送風機２を支持する支持部５と、支持部の下部に固定された摺動部６とを備えている。
【００１７】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００１８】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００１９】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２０】
上面開口１４には、円環形状のベアリング１５が、回転軸が上下方向となるように固定されている。ベアリング１５内には、回動体４の摺動部６から延びた軸部１２が嵌り、回動体４が本体ケース３の下面と平行した面に対して回動自在に支持される。
【００２１】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００２２】
図５は、本発明の実施の形態１に係る支持台の断面図である。
【００２３】
図３、５に示すように、本体ケース３内には、基板部１９と、モータ２１と、第１の歯車２２と、第２の歯車２３とを備えている。
【００２４】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００２５】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００２６】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００２７】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００２８】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００２９】
図６は、本発明の実施の形態１に係る支持台の断面斜視図である。図７は、本発明の実施の形態１に係る支持台の断面斜視展開図である。図８は、本発明の実施の形態１に係る支持台のスイッチ周りの展開斜視図である。
【００３０】
スイッチ１７周りについて詳しく説明する。本体ケース３内には、図６、７、８に示すように、スイッチケース３０と、基板部１９と、スイッチ１７とを備えている。
【００３１】
スイッチケース３０は、本体ケース３の側面に対向するように設けられた横長の略平板形状の第１の板部３１と、第１の板部３１の両短辺から本体ケース３の内方に延びた略平板形状の第２の板部３２と、第１の板部３１の上部長辺から本体ケース３の内方に延びた略平板形状の第３の板部３３とを備えている。第３の板部３３と、２枚の第２の板部３２とは連結し、第２の板部３２が本体ケース３に固定されている。スイッチケース３０の第１の板部３１には、長円形の第２の開口３４を備えている。
【００３２】
平板形状の基板部１９は、一方側の平面が第１の板部３１と対向し、スイッチケース３０内である２つの第２の板部３２の間に配置されている。基板部１９の一方面側の平面には、回転式のスイッチ１７であるボリュームスイッチが固定されている。
【００３３】
スイッチ１７は、スイッチケース３０の第１の板部３１の第２の開口３４と、本体ケース３の側面の側面開口１６とに対向している。スイッチ１７は、基板部１９の他方面側の平面に形成された導体パターンと電気的に接続されている。スイッチ１７は回動式であり、スイッチ１７から第２の開口３４に向かって回動軸方向へ延びた棒形状のスイッチシャフト２４を有している。スイッチシャフト２４には、着脱可能なつまみ部１８を備えている。
【００３４】
つまみ部１８は、円筒形状のつまみ筒部分３５と、つまみ筒部分３５の一方側の開口を塞ぐ円板形状のつまみ面部３６とを備えている。つまみ面部３６が、本体ケース３の側面開口１６（第１の開口）から外方に突出している。つまみ部１８内には、スイッチシャフト２４が嵌る筒形状の筒部分３７を備えている。筒部分３７は、つまみ面部３６の内面からつまみ部１８の他方側の開口へ延びている。つまみ部内には、円環形状のバネ３８を備えている。バネは、つまみ部１８のつまみ筒部分３５と筒部分３７との間に、円環形状のバネ３８の中心が円筒形状のつまみ筒部分３５の中心軸上に位置するように固定されている。
【００３５】
本実施の形態の特徴は、図７、８に示すように、バネ３８と、スイッチケース３０の突起部３９と、つまみ部１８の抜け防止部４０とからなるクリック係止機構４１である。
【００３６】
具体的には、バネ３８は、スイッチ１７の回動軸方向へ撓むと共に、波状に凹凸している。スイッチケース３０は、スイッチケース３０からバネ３８に向かって突出した突起部３９を備えている。つまみ部１８は、本体ケース３内から側面開口１６（第１の開口）へ挿入され、本体ケース３とスイッチケース３０との間に抜け防止部４０を設けている。抜け防止部４０は、つまみ筒部分３５の他方側の開口縁から外方に延びた円環板形状の鍔である。つまみ部１８の抜け防止部４０が、本体ケース３の側面開口１６（第１の開口）の開口縁と接触し、これによって、突起部３９にバネ３８が撓みながら接触する。この状態で、つまみ部１８を回動させると、バネ３８が撓みながらバネ３８の波状の凹凸に突起部３９が接触するので、クリック感が出る。
【００３７】
このように、バネ３８と簡単な構成でクリック係止機構４１を備えたロータリー式のスイッチ１７を備えた電気機器を提供できる。
【００３８】
また、バネ３８は、円環形状で、スイッチ１７の回動軸上に中心が配置されている。突起部３９は、第１の突起部４２と第２の突起部４３とを有している。第１の突起部４２と第２の突起部４３との間には、スイッチ１７の回動軸を備えている。
【００３９】
このように、第１の突起部４２と、第２の突起部４３と、回動軸とは、一直線上に配置されているので、第１の突起部４２と第２の突起部４３との間の距離は、円環形状のバネの直径の長さとほぼ同じになる。これにより、第１の突起部４２によって円環形状のバネが撓む寸法と、第２の突起部４３によって円環形状のバネが撓む寸法とが同じになり、クリック感が向上する。
【００４０】
また、バネ３８は、複数の凹部４４と凸部４５とを有している。複数の凹部４４と凸部４５とは、回動軸上に中心を有する円周上に配置され、凹部４４と凹部４４との間に回動軸を備え、凸部４５と凸部４５との間に回動軸を備えている。
【００４１】
このように、２つ凹部４４と回動軸とは、一直線上に配置されている。同様に、２つ凸部４５と回動軸とは、一直線上に配置されている。これにより、第１の突起部４２と第２の突起部４３は、同時に凹部４４または凸部４５と接触するので、クリック感が向上する。
【産業上の利用可能性】
【００４２】
送風により清涼感を与えたり空間内の空気循環を促したりする送風機の支持台として有用である。
【符号の説明】
【００４３】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口
１７    スイッチ
１８    つまみ部
１９    基板部
２０    電源コード
２１    モータ
２２    第１の歯車
２３    第２の歯車
２４    スイッチシャフト
２５    回転軸
２６    中継コード
３０    スイッチケース
３１    第１の板部
３２    第２の板部
３３    第３の板部
３４    第２の開口
３５    つまみ筒部分
３６    つまみ面部
３７    筒部分
３８    バネ
３９    突起部
４０    抜け防止部
４１    クリック係止機構
４２    第１の突起部
４３    第２の突起部
４４    凹部
４５    凸部
【図１】
2017174524.tif 000003
【図２】
2017174524.tif 000004
【図３】
2017174524.tif 000005
【図４】
2017174524.tif 000006
【図５】
2017174524.tif 000007
【図６】
2017174524.tif 000008
【図７】
2017174524.tif 000009
【図８】
2017174524.tif 000010